(57)【特許請求の範囲】
【請求項１】
画像記録装置本体に着脱可能に設けられ、画像記録用の用紙を内部に収納する収納部と、この収納部内に一端部が回動可能に取り付けられて他端部が上下動する底板と、この底板の他端部の上部に設けられた給紙コロと、前記底板に積載された用紙の先端部が前記給紙コロに対向するように、前記底板を上方に付勢する付勢手段と、前記底板の他端の両端部に配置され、前記底板上の最上の用紙の位置が一定になるように位置規制するコーナ爪と、前記底板を前記収納部内に下げた状態で保持する底板圧解除手段とを備えた給紙装置において、この底板圧解除手段による前記底板の保持位置よりも上方の位置において前記底板を上下動が不可能な状態に保持する保持手段を備え、前記保持手段を、シャフト部材に前記底板に係合する第１溝部と前記収納部に係合する第２溝部とを設け、前記底板と前記第１溝部および前記収納部と前記第２溝部を同時に係合させる構成としたことを特徴とする給紙装置。
【発明の詳細な説明】
【０００１】
【発明の属する技術分野】
本発明は、普通紙に画像を記録する複写機、プリンタ、ファクシミリ装置等に適用される給紙装置に関する。
【０００２】
【従来の技術】
従来より給紙装置としては、給紙カセット内に底板を上下動可能に配置し、底板と給紙カセットの底面との間に底板を上方に常時付勢する紙上げスプリングを配置し、さらに、底板を紙上げスプリングの付勢に抗して下方に下げて底板を保持する底板圧解除機構を設け、給紙カセットを画像記録装置本体に装着する際には、底板圧解除機構の保持を解除して底板を持ち上げることにより底板上に積載された用紙を給紙コロに対向させて給紙可能な状態にし、給紙カセットを引き出す際には底板圧解除機構により底板を保持させて用紙のセットが可能な状態にしたものがある。
【０００３】
さらに、給紙時において用紙を１枚ずつ分離させるために、底板の角部にコーナ爪を設け、給紙コロの回転によって押し出された最上位の用紙の移動をコーナ爪によって規制させることで、用紙を湾曲させてコーナ爪を乗り越えさせることにより、分離搬送させる機構が従来より給紙装置に適用されている。
【０００４】
また、従来におけるこの種の技術としては、実開平２−８６９４１号公報、あるいは実開平３−５１７２７号公報記載の装置がある。
【０００５】
実開平２−８６９４１号公報には、給紙カセットを画像記録装置本体に対して斜めに差し込み、さらに下方に回動させることで装着する構造であって、下方に回動させる動作に連動して底板を押し上げ、逆に取外す際に上方に回動させた時には底板を下げるようにした給紙カセットの装着構造が記載されている。
【０００６】
実開平３−５１７２７号公報には、給紙カセット本体の上面を開閉するカセットカバーの動作に連動させて、底板の押圧および押圧解除させる機構が記載されている。
【０００７】
【発明が解決しようとする課題】
しかしながら、従来の機構では、輸送時に底板を固定していなければ、輸送時の振動によって底板が上下動し、この上下動による衝撃によりコーナ爪にダメージを与えるおそれがある。また、輸送の際に底板をテープなどにより底板圧解除位置に固定すれば、底板を付勢する紙上げスプリングが塑性変形して給紙性能の低下を招くおそれがある。
【０００８】
本発明は、このような問題点を解決して、輸送時等におけるコーナ爪へのダメージおよび紙上げスプリングの塑性変形を防止した給紙装置を提供することを目的とする。
【０００９】
【課題を解決するための手段】
前記目的を達成するための本発明は、画像記録装置本体に着脱可能に設けられ、画像記録用の用紙を内部に収納する収納部と、この収納部内に一端部が回動可能に取り付けられて他端部が上下動する底板と、この底板の他端部の上部に設けられた給紙コロと、前記底板に積載された用紙の先端部が前記給紙コロに対向するように、前記底板を上方に付勢する付勢手段と、前記底板の他端の両端部に配置され、前記底板上の最上の用紙の位置が一定になるように位置規制するコーナ爪と、前記底板を前記収納部内に下げた状態で保持する底板圧解除手段とを備えた給紙装置において、この底板圧解除手段による前記底板の保持位置よりも上方の位置において前記底板を上下動が不可能な状態に保持する保持手段を備え、前記保持手段を、シャフト部材に前記底板に係合する第１溝部と前記収納部に係合する第２溝部とを設け、前記底板と前記第１溝部および前記収納部と前記第２溝部を同時に係合させる構成としたことを特徴とする。このような構成により、輸送時に、保持手段を取り付けることにより、底板は上下動ができない状態に保持され、しかも、その時の保持位置が、底板圧解除手段による底板の保持位置よりも上方であるため、保持手段による保持位置において付勢手段にかかる力が、底板圧解除手段による底板の保持位置において付勢手段にかかる力よりも低減できる。その結果、付勢手段の塑性変形を防止することができる。また、底板と第１溝部および収納部と第２溝部が同時に係合した状態となるため、底板を上下動が不可能な状態に保持することが可能になる。
【００１１】
【発明の実施の形態】
以下、本発明の実施形態について、図面を参照しながら詳細に説明する。
【００１２】
図１は本発明の一実施形態の給紙装置を備えたファクシミリ装置の内部構成を示す側面図であり、１はファクシミリ装置の本体、２は給紙装置、３は給紙装置２から搬送された用紙に電子写真プロセスによって画像を記録する記録装置、４は原稿の画像を光学的な手段で読み取る読取装置を示し、ファクシミリ装置は上部の読取装置４と中央部の記録装置３と下部の給紙装置２とから主に構成されている。
【００１３】
５は本体１の下部において着脱可能な給紙カセット、６は、給紙カセット５の内部に一端が回動可能に取り付けられ、他端が上下動する底板、７は、給紙カセット５と底板６との間に設けられ、底板６を上方に付勢する紙上げスプリング、８は底板６の他端の両端部に配置されたコーナ爪、９は本体１に設けられた半月形状の給紙コロを示す。給紙カセット５が本体１にセットされた状態においては、底板６は紙上げスプリング７によって持ち上げられた状態にある。
【００１４】
図２は給紙カセットの構成を示す斜視図であり、１０は底板固定クリップ、１１は、底板６の他端部に設けられ、底板固定クリップ１０を挿入する孔を示す。底板固定クリップ１０は、ファクシミリ装置または給紙カセットの輸送時等に底板６に取り付けて、底板６が上下動しないように回動を規制するものであり、ファクシミリ装置の使用時には底板固定クリップ１０を外した状態にしておく。
【００１５】
図３は給紙カセットを本体に装着した時の底板の状態を示す側面図であり、１２は底板６の下面に設けられたロック爪、１３は、給紙カセット５の底面に設けられ、ロック爪１２と係合する係合部を示す。
【００１６】
図３に示すように、給紙カセット５を本体１に装着した時には、ロック爪１２と係合部１３との係合は解除されている。そのため、底板６は紙上げスプリング７の付勢により上方に押し上げられ、底板６の両端、特に底板６に用紙が積載されている場合には用紙の両端にコーナ爪８が係合する。また、コーナ爪８は必要な高さ以上に回動しないように位置規制されている。したがって底板６上の最上位の用紙の位置は常に一定になり、給紙コロ９の平面部に対向するようになる。
【００１７】
図４は給紙カセットを本体から引出した時の底板の状態を示す側面図である。用紙の補給時など給紙カセット５を本体から引出す際には、まず、底板６を下方に下げてロック爪１２と係合部１３とを係合させて、底板６を底板圧解除位置に保持させてから給紙カセット５を引き出す。このとき、紙上げスプリング７は給紙カセット５と底板６との間で圧縮された状態にあるため、底板６には給紙カセット５を本体１に装着した時以上の付勢力が加わるようになる。
【００１８】
ところで、ファクシミリ装置を輸送する際に、底板６を図３に示す状態にしておけば、輸送時の振動によって底板６が上下動することによりコーナ爪８を傷めるおそれがある。また、底板６を図４に示す状態に固定しておけば、紙上げスプリング７が塑性変形するおそれがあり、特に長期間倉庫などに保管しておくような場合にはその可能性が高くなる。そこで、図５に示すように、底面固定クリップ１０を取り付けて、底板６を固定する。
【００１９】
図５は底板に底板固定クリップを装着した状態を示す側面図、図６は底板固定クリップの構成を示す斜視図であり、１０ａはつまみ、１０ｂはつば、１０ｃはシャフト、１０ｄは第１係合爪、１０ｅは第１溝部、１０ｆは第２係合爪、１０ｇは第３係合爪、１０ｈは第２溝部、１０ｉは第４係合爪、１４は孔１１の下方における給紙カセット５底面の部位に設けられた孔を示す。
【００２０】
次に、底面固定クリップ１０の構成について説明する。図６に示すように、シャフト１０ｃの一端にはつば１０ｂが設けられ、つば１０ｂにおけるシャフト１０ｃとは反対側の面にはつまみ１０ａが設けられ、シャフト１０ｃの側面において、つば１０ｂに対向させて第１係合爪１０ｄが設けられ、つば１０ｂと第１係合爪１０ｄとによって第１溝部１０ｅが形成される。さらにシャフト１０ｃの側面において、第１係合爪１０ｄから他端側に並列させて第２係合爪１０ｆおよび第３係合爪１０ｇが設けられ、第２係合爪１０ｆと第３係合爪１０ｇとによって第２溝部１０ｈが形成される。また、シャフト１０ｃの側面における第２係合爪１０ｆの反対側の部位には第４係合爪１０ｉが設けられている。また、第１溝部１０ｅの幅は底板６の厚み程度かもしくはそれよりも若干大きめに設定されており、第２溝部１０ｈの幅は給紙カセット５の底部の厚み程度かもしくはそれよりも若干大きめに設定されている。
【００２１】
底面固定クリップ１０を取り付ける際には、まず、給紙カセット５を本体１から引き出し、さらに係合部１３を作動させてロック爪１２との係合状態を解除させて、図３に示すように、底板６を上昇させる。次に、孔１１にシャフト１０ｃを通し、底板６につば１０ｂを当接させて、そのまま押圧してシャフト１０ｃの先端が孔１４に入るように底板６を下げる。なお、孔１１はシャフト１０ｃが通る程度の大きさでかつ第１，第２，第３係合爪１０ｄ，１０ｆ，１０ｇが通るような切欠きおよび第４係合爪１０ｉが通るような切欠きが設けられている。また、孔１４においても第３係合爪１０ｇが通るような切欠きが設けられている。
【００２２】
やがて、第４係合爪１０ｉが孔１４の縁部に当接することにより、底板６の移動が規制される。なお、この時点でロック爪１２は係合部１３の上方にあって両者は係合していない。そして、つまみ１０ａを９０度回転させることにより、底板６における孔１１の縁部が第１溝部１０ｅに把持され、給紙カセット５における孔１４の縁部が第２溝部１０ｈに把持される。このように底面固定クリップ１０によって底板６が固定される。
【００２３】
なお、底面固定クリップ１０を外す際にはつまみ１０ａを回転させ、やがて、第３係合爪１０ｇが孔１４の切欠き部分に到達した時点で、第３係合爪１０ｇと給紙カセット５との係合が解除され、紙上げスプリング７の付勢により底板６が上昇すると同時に孔１４からシャフト１０ｃが外れる。さらにつまみ１０ａを引っ張りながら回転させることにより、孔１１からシャフト１０ｃが外れ、底面固定クリップ１０による保持が解除される。
【００２４】
このように構成したことにより、底面固定クリップ１０を取り付けた状態では、底板６は底面固定クリップ１０によって上下動ができない状態に固定され、しかも、その時の保持位置がロック爪１２と係合部１３とが係合したときの底板圧解除位置よりも上方であるため、底面固定クリップ１０による保持位置において紙上げスプリング７にかかる力が、底板圧解除位置において紙上げスプリング７にかかる力よりも低減できる。その結果、輸送時における振動によって底板６が上下動することによりコーナ爪８を傷めることが防止できる。さらに長期間倉庫などに保管しておくような場合においても付勢手段の塑性変形を防止することができる。
【００２５】
【発明の効果】
以上、説明したように構成された本発明によれば、輸送時、移動時に保持手段を取り付けることにより、振動によって底板が上下動することによりコーナ爪を傷めることが防止できる。しかも、その時の保持位置が底板圧解除手段による底板の保持位置よりも上方であるため、保持手段による保持位置において付勢手段にかかる力が、底板圧解除手段による底板の保持位置において付勢手段にかかる力よりも低減できる。その結果、保持手段を取り付けた状態で長期間倉庫などに保管されたとしても付勢手段の塑性変形を防止することができる。
【図面の簡単な説明】
【図１】本発明の一実施形態の給紙装置を備えたファクシミリ装置の内部構成を示す側面図
【図２】給紙カセットの構成を示す斜視図
【図３】給紙カセットを本体に装着した時の底板の状態を示す側面図
【図４】給紙カセットを本体から引出した時の底板の状態を示す側面図
【図５】底板に底板固定クリップを装着した状態を示す側面図
【図６】底板固定クリップの構成を示す斜視図
【符号の説明】
１  本体
２  給紙装置
３  記録装置
４  読取装置
５  給紙カセット
６  底板
７  紙上げスプリング
８  コーナ爪
９  給紙コロ
１０  底板固定クリップ
１０ａ  つまみ
１０ｂ  つば
１０ｃ  シャフト
１０ｄ  第１係合爪
１０ｅ  第１溝部
１０ｆ  第２係合爪
１０ｇ  第３係合爪
１０ｈ  第２溝部
１０ｉ  第４係合爪
１１，１４  孔
１２  ロック爪
１３  係合部
【図１】
0003679596.tif 000002
【図２】
0003679596.tif 000003
【図３】
0003679596.tif 000004
【図４】
0003679596.tif 000005
【図５】
0003679596.tif 000006
【図６】
0003679596.tif 000007